(57)【要約】【課題】表示が不均一にならないように金属フレームと液晶表示パネルの電気的な導通を図ることを目的とする。【解決手段】液晶表示装置は、画像表示面及び画像表示面とは反対側の裏面を有する液晶表示パネル１０と、液晶表示パネル１０の周縁部を裏面で支持する支持部を含む樹脂フレーム２２と、液晶表示パネル１０の周縁部で画像表示面と対向するように樹脂フレーム２２に取り付けられる金属フレーム２８と、を有する。金属フレーム２８は、画像表示面に点接触するコンタクト部３０を有する。【選択図】図２
2015129850.tif 000002
【特許請求の範囲】
【請求項１】
画像表示面及び前記画像表示面とは反対側の裏面を有する液晶表示パネルと、
前記液晶表示パネルの周縁部を前記裏面で支持する支持部を含む樹脂フレームと、
前記液晶表示パネルの前記周縁部で前記画像表示面と対向するように前記樹脂フレームに取り付けられる金属フレームと、
を有し、
前記金属フレームは、前記画像表示面に点接触するコンタクト部を有することを特徴とする液晶表示装置。
【請求項２】
請求項１に記載された液晶表示装置において、
前記液晶表示パネルは、前記画像表示面に導電膜を有し、
前記コンタクト部は、前記導電膜に点接触することを特徴とする液晶表示装置。
【請求項３】
請求項２に記載された液晶表示装置において、
前記液晶表示パネルは、前記導電膜の上に偏光板を含み、
前記偏光板は、前記コンタクト部と前記導電膜との点接触のために、前記導電膜を露出させるように切り欠かれていることを特徴とする液晶表示装置。
【請求項４】
請求項３に記載された液晶表示装置において、
前記偏光板は、矩形の角を切り欠いた平面形状であることを特徴とする液晶表示装置。
【発明の詳細な説明】
【技術分野】
【０００１】
本発明は、液晶表示装置に関する。
【背景技術】
【０００２】
液晶表示パネルの画像表示面に導電性ゴムを貼りつけて、画像表示面の静電気を逃がす構造が知られている（特許文献１）。液晶表示パネルの画像表示面の周縁部の上方には、金属フレームが配置され、導電性ゴムを介して、静電気を逃がすようになっている。
【０００３】
デジタルスチールカメラや携帯電話機などの用途で、液晶表示装置には薄型化の要求が高まってきている。金属フレームと液晶表示パネルの間に導電性ゴムが介在すると厚くなるので、導電性ゴムは無くすことが好ましい。その場合、液晶表示パネルと金属フレームの電気的接続は両者の直接的な接触によって図ることになる。
【先行技術文献】
【特許文献】
【０００４】
【特許文献１】特開２００５−７７５９０号公報
【発明の概要】
【発明が解決しようとする課題】
【０００５】
近年要求されている薄型化により、液晶表示パネルに反りが発生することがある。金属フレームと液晶表示パネルが直接接触する構造では、反りによって、金属フレームが液晶表示パネルを押し付ける力が不均一となり、液晶配列が乱れて表示が不均一になるという問題があった。
【０００６】
本発明は、表示が不均一にならないように金属フレームと液晶表示パネルの電気的な導通を図ることを目的とする。
【課題を解決するための手段】
【０００７】
（１）本発明に係る液晶表示装置は、画像表示面及び前記画像表示面とは反対側の裏面を有する液晶表示パネルと、前記液晶表示パネルの周縁部を前記裏面で支持する支持部を含む樹脂フレームと、前記液晶表示パネルの前記周縁部で前記画像表示面と対向するように前記樹脂フレームに取り付けられる金属フレームと、を有し、前記金属フレームは、前記画像表示面に点接触するコンタクト部を有することを特徴とする。本発明によれば、画像表示面と金属フレームは点接触するだけなので、液晶表示パネルの液晶配列に与える影響が小さく、表示が不均一にならないようになっている。
【０００８】
（２）（１）に記載された液晶表示装置において、前記液晶表示パネルは、前記画像表示面に導電膜を有し、前記コンタクト部は、前記導電膜に点接触することを特徴としてもよい。
【０００９】
（３）（２）に記載された液晶表示装置において、前記液晶表示パネルは、前記導電膜の上に偏光板を含み、前記偏光板は、前記コンタクト部と前記導電膜との点接触のために、前記導電膜を露出させるように切り欠かれていることを特徴としてもよい。
【００１０】
（４）（３）に記載された液晶表示装置において、前記偏光板は、矩形の角を切り欠いた平面形状であることを特徴としてもよい。
【図面の簡単な説明】
【００１１】
【図１】本発明の実施形態に係る液晶表示装置を示す平面図である。
【図２】図１に示す液晶表示装置のII−II線断面図である。
【図３】切り欠きの形状の変形例を示す図である。
【図４】コンタクト部の形状の変形例を示す図である。
【発明を実施するための形態】
【００１２】
以下、本発明の実施の形態について、図面を参照して説明する。
【００１３】
図１は、本発明の実施形態に係る液晶表示装置を示す平面図である。図２は、図１に示す液晶表示装置のII−II線断面図である。
【００１４】
液晶表示装置は、液晶表示パネル１０を有する。液晶表示パネル１０は、ガラスなどからなる一対の基板１２，１４及び両者間に挟まれた図示しない液晶を有する。液晶表示パネル１０は、画像表示面及び画像表示面とは反対側の裏面を有する。液晶表示パネル１０は、画像表示面に導電膜１６を有する。一対の基板１２，１４には、それぞれ、相互に反対の面に偏光板１８，２０が貼り付けられている。画像表示面の側では、導電膜１６の上に偏光板２０が貼り付けられている。図１に示すように、偏光板２０は、導電膜１６を露出させるように切り欠かれている。偏光板２０は、矩形の角を切り欠いた平面形状である。したがって、導電膜１６は、４個所で、偏光板２０から広く露出するようになっている。
【００１５】
液晶表示装置は、樹脂フレーム２２を有する。樹脂フレーム２２は、バックライトユニットの一部であり、液晶表示パネル１０の周縁部を裏面で支持する。液晶表示パネル１０と樹脂フレーム２２は両面粘着テープ２４で固定されている。両面粘着テープ２４は遮光性を有する。樹脂フレーム２２は、下フレーム２６に収容されている。下フレーム２６は金属からなる。下フレーム２６の側壁部には穴２６ａが形成されており、この穴２６ａに、樹脂フレーム２２の外側に設けられた突起２２ａがはまるようになっている。
【００１６】
液晶表示装置は、金属フレーム２８を有する。金属フレーム２８は、液晶表示パネル１０の周縁部で画像表示面と対向するように、樹脂フレーム２２に取り付けられている。金属フレーム２８の側壁部は、下フレーム２６の外側に配置されている。金属フレーム２８の側壁部にも穴２８ａが形成されており、この穴２８ａに、樹脂フレーム２２の外側に設けられた突起２２ａがはまるようになっている。
【００１７】
金属フレーム２８は、少なくとも１つ（図１の例では４つ）のコンタクト部３０を有する。コンタクト部３０は、画像表示面（導電膜１６）に点接触する。導電膜１６の、コンタクト部３０が点接触する部分は、偏光板２０の切り欠きによって露出した部分である。
【００１８】
本実施形態によれば、画像表示面と金属フレーム２８は点接触するだけなので、液晶表示パネル１０の液晶配列に与える影響が小さく、表示が不均一にならないようになっている。
【００１９】
金属フレーム２８の上方（使用者が観察する側）には、カバープレート（フロントプレートとも呼ぶ）４０が設けられている。カバープレート４０には遮光部４４と有効表示領域４２が設けられ、遮光部４４と有効表示領域４２の間には境界部４６が形成されている。遮光部４４は有効表示領域４２の周囲を囲んでおり、遮光部４４により液晶表示パネル１０の周辺部は隠され、使用者は有効表示領域４２に表示される画像を観察することになる。従って、金属フレーム２８、導電膜１６の偏光板２０に覆われずに露出した部分等の画像が表示されない部分は、遮光部４４により隠されることになる。
【００２０】
図３に、偏光板の切り欠きの変形例を示す。この変形例では、切り欠き２０ａは、コンタクト部３０の突出形状に沿って窪むように切り欠かれている。このように切り欠き２０ａを形成することで、導電膜１６の、偏光板２０に覆われずに露出した部分の面積を小さくすることができ、導電膜１６の露出した部分から漏れる不要な光を減少させることが可能になる。
【００２１】
図３では窪む形状の切り欠き２０ａは、言い換えると、有効表示領域４２（図２参照）側に突き出る形状をしている。そのため、遮光部４４（図２参照）が切り欠き２０ａを覆うために、矩形の境界部４６（図２参照）は、長さＬ１で示される分、金属フレーム２８から有効表示領域４２の方向にずれて位置する。
【００２２】
図４に、偏光板２０を斜めに切り欠いたことに対応して、切り欠き２０ｂに沿うようにコンタクト部１３０を形成した例を示す。コンタクト部１３０の、切り欠き２０ｂに対向する辺は、金属フレーム１２８の枠を構成する内側辺に対して斜めに形成されている。図４に示すコンタクト部１３０は、図３に示すコンタクト部３０ほど有効表示領域４２（図２参照）側に突き出ていないので、金属フレーム１２８から境界部４６までの距離Ｌ２も長さＬ１に比べ短くなっている。従って、図４に示すように切り欠き２０ｂを形成すると、金属フレーム１２８から境界部４６までの距離Ｌ２を短くすることができ、液晶表示パネル１０の周辺の画像が表示されない額縁部を狭くすることができる。
【００２３】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００２４】
１０  液晶表示パネル、１２  基板、１４  基板、１６  導電膜、１８  偏光板、２０  偏光板、２０ａ  切り欠き、２０ｂ  切り欠き、２２  樹脂フレーム、２２ａ  突起、２４  両面粘着テープ、２６  下フレーム、２６ａ  穴、２８  金属フレーム、２８ａ  穴、３０  コンタクト部、１２８  金属フレーム、１３０  コンタクト部。
【図１】
2015129850.tif 000003
【図２】
2015129850.tif 000004
【図３】
2015129850.tif 000005
【図４】
2015129850.tif 000006